(57)【要約】【課題】  立食パーティ会場や、ブッフェスタイルの会食場において、食品を盛り付けた皿（食品皿）の装飾配膳のための皿載せ台において、低コストで強度・形状・発光装飾の多様性に対応できるようにする。【解決手段】扁平板状の上方皿受け部１及び下方台座部２との間を、支柱部３で連結すると共に、適宜な反射部４１を内設してなる導光柱体４を上方皿受け部及び下方台座部間に介装し、導光柱体の端面の一部を上方皿受け部又は下方台座部の内方側に露出させ、当該露出箇所にＬＥＤを臨設してなる。【選択図】図１
0003126805.tif 000002
【実用新案登録請求の範囲】
【請求項１】
扁平板状の上方皿受け部及び下方台座部との間を、支柱部で連結すると共に、適宜な反射部を内設してなる導光柱体を上方皿受け部及び下方台座部間に介装し、導光柱体の端面の一部を上方皿受け部又は下方台座部の内方側に露出させ、当該露出箇所にＬＥＤを臨設してなることを特徴とする皿載せ台。
【請求項２】
上方皿受け部及び下方台座部をステンレス板で形成し、支柱部をステンレス細棒で形成してなる請求項１記載の皿載せ台。
【請求項３】
上方皿受け部に、周縁壁部を立設してなる請求項２記載の皿載せ台。
【請求項４】
上方皿受け部の対向面の中央部分を対向面側に膨出する内凹部を形成し、上方皿受け部及び下方台座部の上下対向面に導光柱体の上下端保持部を形成すると共に、支柱部が導光柱体を囲繞するように配置し、上端を前記内凹部に突出させて固着してなる請求項２又は３記載の皿載せ台。
【請求項５】
下方台座部にＬＥＤを内設してなる請求項１乃至４記載の何れかの皿載せ台。
【考案の詳細な説明】
【技術分野】
【０００１】
本考案は、食品を盛り付けた皿を見栄え良くするために、ホテルのパーティ会場等で使用される皿載せ台に関するものである。
【背景技術】
【０００２】
立食パーティ会場や、ブッフェスタイルの会食場において、食品を盛り付けた皿をそのままテーブル上に並べるよりも、より見栄え良くするために、食品を盛り付けた皿を適宜高さに配置する皿載せ台が従前より提案されている。
【０００３】
具体的には、特許文献１（実開平５−６０３７０号公報図６）に例示されるように、下方台部に支柱を直立させ、支柱上部に皿載せ部を設けている構成を備えてなる。
【０００４】
また特に発光装飾を採用している器具としては、透明な導光材で器具全体を形成し、導入光を外方反射することで装飾性を確保しているものが、特許文献２（実開平１−１７１２７１号公報）に開示されている。
【０００５】
【特許文献１】実開平５−６０３７０号公報図６。
【特許文献２】実開平１−１７１２７１号公報。
【考案の開示】
【考案が解決しようとする課題】
【０００６】
前記の開示されている皿載せ台は、基本的に全体が単一部材（発光台座分を除いて）で構成されている。従って使用対象物が限定されてしまい、使用対象物の相違（載置する皿の大きさ・形状の相違）に対しては、個別に器具を製造する必要がある。
【０００７】
また発光装飾器具においても、器具全体の主要部を透明な導光材で形成するため、相応の強度を備える必要性からコスト高を逃れることができないし、その装飾形態も限定されてしまい装飾多様性に対応できない。
【０００８】
そこで本考案は、発光装飾部品も含めて特定の部品を組み合わせて構成することで、低コストで強度・形状・発光装飾の多様性に対応できる皿載せ台を提案したものである。
【課題を解決するための手段】
【０００９】
本考案に係る皿載せ台は、扁平板状の上方皿受け部及び下方台座部との間を、支柱部で連結すると共に、適宜な反射部を内設してなる導光柱体を上方皿受け部及び下方台座部間に介装し、導光柱体の端面の一部を上方皿受け部又は下方台座部の内方側に露出させ、当該露出箇所にＬＥＤを臨設してなることを特徴とするものである。
【００１０】
而して上方皿受け部、下方台座部、支柱部及び導光柱体を選択して組み合わせて所定の器具を形成し、上方皿受け部に食品を盛りつけた皿（以下「食品皿」という）を載置し、ＬＥＤの点灯によって導光柱体の反射部が輝き、所定の装飾性を以って食品皿の見栄えを高める。
【００１１】
また本考案（請求項２）に係る皿載せ台は、上方皿受け部及び下方台座部をステンレス板で形成し、支柱部をステンレス細棒で形成してなるもので、ステンレスが多用されている他のパーティ用器具とマッチする。
【００１２】
また本考案（請求項３）に係る皿載せ台は、上方皿受け部に、周縁壁部を立設してなるもので、食品皿の高台部分が前記周縁壁部に引っ掛かって上方皿受け部からずり落ちることがない。
【００１３】
更に本考案（請求項４）に係る皿載せ台は、上方皿受け部の対向面の中央部分を対向面側に膨出する内凹部を形成し、上方皿受け部及び下方台座部の上下対向面に導光柱体の上下端保持部を形成すると共に、支柱部が導光柱体を囲繞するように配置し、上端を前記内凹部に突出させて固着してなるもので、上方皿受け部において、支柱部固着箇所が食品皿の載置に支障がないようにし、また支柱部の固着手段を着脱自在にすることで、器具の分解組立が容易となる。
【考案の効果】
【００１４】
本考案は上記の通り、所定の上方皿受け部、下方台座部、支柱部及び導光柱体で構成したもので、各部材を選択して組み合わせることで、器具の全体形状（高さや上下の受け部及び台座部の形状）や、発光装飾性（導光柱体の形状及び内設した反射部模様、ＬＥＤの発光色）を任意に設定でき、装飾性が求められる皿載せ台において、共通部品の採用によって低コストで多様性の要望に答えることができたものである。
【考案を実施するための最良の形態】
【００１５】
次に本考案の実施形態について説明する。実施形態に示した皿載せ台は、上方皿受け部１、下方台座部２、支柱部３、導光柱体４、発光部５で構成される。
【００１６】
上方皿受け部１は、適宜大きさ及び形状に、ステンレス板で形成したもので、全体は扁平板状にしてなるものである。特に周縁壁部１１を立設し、中央部分を下方台座部２に対面する側に膨出する内凹部１２を形成し、更に後述する導光柱体４の保持部１３を、周板を下方に突設することで形成したものである。
【００１７】
下方台座部２は、前記上方皿受け部１と同様にステンレス板で、適宜大きさ及び形状に形成するもので、上板部２１と底板部２２で構成して、後述する発光部５を内設したものである。
【００１８】
上板部２１は、中央に凹部を形成して導光柱体４の保持部２３とし、更に前記保持部２３の底面の一部を開口して、光導入口２４としたものである。
【００１９】
支柱部３は、ステンレス細棒で形成したもので、両端部を螺軸に形成し、前記導光柱体４の保持部１３，２３の回りに複数の軸孔を穿設し、前記軸孔に螺軸部分を挿通し、ナットを螺合して固着する。
【００２０】
導光柱体４は、透明樹脂棒（円柱・角柱）内に種々の形状の反射部４１を内部に形成した既存部品で、前記支柱部３の長さと対応して同一の長さとしたものである。
【００２１】
発光部５は、発光体としてＬＥＤを採用し、底板部２２に設けて、光導入口２４に臨ませたものである。
【００２２】
而して種々の反射模様を備えた既存部材から所望の形状の反射部４１を備えた導光柱体４を選択し、更にＬＥＤの点灯色を選択して器具を組上げ、食品皿Aを上方皿受け部１上に載置して、食品皿の装飾配膳に使用するものである。
【００２３】
特にＬＥＤの点灯によって導光柱体４の反射部４１がＬＥＤの発光色に輝き、所定の装飾性を以って食品皿の見栄えを高めるものである。
【００２４】
尚本考案は、前記実施形態に限定されるものではなく、例えば発光部５を上方皿受け部１内に設けるようにしても良い。
【図面の簡単な説明】
【００２５】
【図１】本考案の実施形態の断面図。
【図２】同全体斜視図。
【図３】本考案の発光部の組み込み状態の説明図。
【符号の説明】
【００２６】
１        上方皿受け部
１１      周縁壁部
１２      内凹部
１３      導光柱体保持部
２        下方台座部
２１      上板部
２２      底板部
２３      導光柱体保持部
２４      光導入口
３        支柱部
４        導光柱体
４１      反射部
５        発光部
【図１】
0003126805.tif 000003
【図２】
0003126805.tif 000004
【図３】
0003126805.tif 000005